(57)【特許請求の範囲】
【請求項１】
複数個所の板部が折り曲げ線で連続した板材であり、折り曲げ線から折り曲げた状態で収納箱体内に装入することによって、収納箱体内の物品収納空間を仕切る仕切り体において、
仕切り体は、長さ方向に空間を挟んで第１の板部及び第２の板部を有するものであり、第１の板部及び第２の板部の各幅方向両側に第１の折り曲げ線を境に側板部を設け、各幅方向両側の側板部同士が前記空間を囲んで連続した構造であり、
幅方向両側の各側板部には、空間側から外縁側に向けて複数の第２の折り曲げ線が延びており、
前記第１の板部及び第２の板部に設けた各側板部を第１の折り曲げ線から仕切り体の一面側方向に折り曲げた状態とし、
前記各側板部を一面側方向に折り曲げた状態で、前記第１の板部を第２の板部に対して第２の折り曲げ線から他面側方向に折り曲げて空間を狭くすると共に、側板部の第２の折り曲げ線から外縁側の固定用部分を他面側方向に折り曲げて仕切り体の他の部分に固定し、側板部、第１の板部及び第２の板部の折り曲げ状態を固定するようにし、収納箱体内に装入することを特徴とした仕切り体。
【請求項２】
前記第１の板部及び第２の板部の少なくとも一方には、前記空間から長さ方向に伸びる切り欠きが形成されたものとし、
前記側板部の第２の折り曲げ線から外縁側の固定用部分を他面側方向かつ幅方向内側に折り曲げて前記切り欠きに係止することによって仕切り体の他の部分に固定して、仕切り体の折り曲げ状態を固定するようにしたことを特徴とする請求項１に記載の仕切り体。
【請求項３】
前記幅方向両側の各側板部には、外縁側に向けて空間が延びた凹所が形成されて対の第２の折り曲げ線が当該凹所の外縁側端から延びており、
対の第２の折り曲げ線同士の角度と前記凹所の形状の設定によって、前記第１の板部を第２の板部に対して第２の折り曲げ線から他面側方向に折り曲げた際の、第１の板部に対する第２の板部の折り曲げ角度を設定できるようにしたことを特徴とする請求項１又は２に記載の仕切り体。
【請求項４】
各側板部に設けた凹所は外縁方向に向けて山形形状を呈し、凹所の山型形状の角度は第１の板部に対する第２の板部の折り曲げ角度より大きくしたことを特徴とする請求項３に記載の仕切り体。
【発明の詳細な説明】
【技術分野】
【０００１】
本発明は、収納用箱体や梱包用箱体に物品を収納・装填する際に、当該物品が箱体内で移動又はガタつくのを規制するための仕切り体に関する。
【背景技術】
【０００２】
従来、１つのカートンに複数の製品（物品）を装填する際、内容物の製品がカートン内で移動又はガタ付による製品同士の衝突により損傷等を防止するため、仕切り（仕切り体）が装填されることが多々ある。
【０００３】
この際、装填される製品の上下寸法が大きく異なる場合や、側面や斜め方向からの押えが必要な製品を装填する場合、枚葉仕切り等の単純な形状の仕切りでは十分製品を保持できないため、複数の仕切りの組合せや、組仕切りを使う場合がある。
【０００４】
しかし、この様な仕切りは、紙の使用量が多く、折り等の組み立てにも手間が掛かるために、高コストなことが課題となる。
【０００５】
従来技術として、特開２０１２−１２４３号（特許文献１）には、収納箱に複数の物品を個別に仕切り収納させるための仕切り片構造が開示されている。この仕切り片構造は、枚葉体に切り込みや折り目を入れたものであり、仕切り位置に対応して底辺部を分離し、各底辺部を傾斜した際に独立して仕切り片部に係脱しうるようにして、物品を装入順序に影響されることなく、仕切り片部を仕切り位置に保持することを実現するものである。
【０００６】
しかしながら、この仕切り片構造は、装填される物品の寸法さに対して、仕切り間隔の調整のみとなるため、物品を必ずしも固定できない。
【０００７】
また、上記の仕切り構造は、その組み立てに際し、特許文献１中の図に示されるようにし、面（１９）を起こした後、スリット（１４）に（２２，２３）の突起を嵌め込む必要があり、生産性が低い問題がある。
【０００８】
従来技術として、また、特開２００９−５１５３１号（特許文献２）が１枚のシート材を折り曲げて係止溝に仕切り片を差し込んで形成する梱包用中仕切りが開示されている。基準片に仕切り片を備えて、組み立てられた中仕切りは、収納箱内に配置され、基準片と仕切り片と収納箱の側壁とに囲まれる収容空間に物品を収納する。
【０００９】
しかしながら、この中仕切りでは、１枚のシートから組み立てるが、収納箱の高さに対して、物品が低い場合に対応が取れない問題がある。また、この中仕切りは、係止溝に仕切り片を差し込んで組み立てる手順が比較的複雑であり、折りなどの組み立ての手間を少なくしてコスト低減化するのに障害になりやすい問題が残るものである。
【先行技術文献】
【特許文献】
【００１０】
【特許文献１】特開２０１２−０１２４３号公報
【特許文献２】特開２００９−５１５３１号公報
【発明の概要】
【発明が解決しようとする課題】
【００１１】
本発明は、上記した実情に鑑み、簡単な構成で加工手順も少なく、収納する物品の高さ(の相違)にも対応できる仕切り体を提供しようとするものである。
【課題を解決するための手段】
【００１２】
本発明は、複数個所の板部が折り曲げ線で連続した板材であり、折り曲げ線から折り曲げた状態で収納箱体内に装入することによって、収納箱体内の物品収納空間を仕切る仕切り体において、
仕切り体は、長さ方向に空間を挟んで第１の板部及び第２の板部を有するものであり、第１の板部及び第２の板部の各幅方向両側に第１の折り曲げ線を境に側板部を設け、各幅方向両側の側板部同士が前記空間を囲んで連続した構造であり、
幅方向両側の各側板部には、空間側から外縁側に向けて複数の第２の折り曲げ線が延びており、
前記第１の板部及び第２の板部に設けた各側板部を第１の折り曲げ線から仕切り体の一面側方向に折り曲げた状態とし、
前記各側板部を一面側方向に折り曲げた状態で、前記第１の板部を第２の板部に対して第２の折り曲げ線から他面側方向に折り曲げて空間を狭くすると共に、側板部の第２の折り曲げ線から外縁側の固定用部分を他面側方向に折り曲げて仕切り体の他の部分に固定し、側板部、第１の板部及び第２の板部の折り曲げ状態を固定するようにし、収納箱体内に装入することを特徴とした仕切り体である。
【００１３】
本発明においては、前記第１の板部及び第２の板部の少なくとも一方には、前記空間から長さ方向に伸びる切り欠きが形成されたものとし、
前記側板部の第２の折り曲げ線から外縁側の固定用部分を他面側方向かつ幅方向内側に折り曲げて前記切り欠きに係止することによって仕切り体の他の部分に固定して、仕切り体の折り曲げ状態を固定するようにしたことが好適である。
【００１４】
また、本発明においては、前記幅方向両側の各側板部には、外縁側に向けて空間が延びた凹所が形成されて対の第２の折り曲げ線が当該凹所の外縁側端から延びており、
対の第２の折り曲げ線同士の角度の設定によって、前記第１の板部を第２の板部に対して第２の折り曲げ線から他面側方向に折り曲げた際の、第１の板部に対する第２の板部の折り曲げ角度を設定できることを特徴とする仕切り体である。
ここで、上記折り曲げ角度について、実施形態の仕切り体に即して、図７に基づき説明する。
図７に示すように、側板部１４の第２の折り曲げ線（罫線１８Ａと１８Ｂ）を折り返すことで、凹所の頂点Ｏと、第２の折り曲げ線の外縁側端Ａ、Ｂからなる三角形ＯＡＢが罫線１８Ｂを境に反転することで外縁側端ＡがＡ‘の位置に移動する（なお、図７に示すように、第２の板部１２が１２’に、第２の板部１２に繋がる側板部１４が１４’に、固定用部分２４が２４’にそれぞれ移動する）。この罫線１８Ａの移動角度を設定することで第１の板部１０に対する第２の板部１２の折り曲げ角度を設定できる。
【００１５】
本発明においては、各側板部に設けた凹所は外縁方向に向けて山形形状を呈し、凹所の山形形状の角度は第１の板部に対する第２の板部の折り曲げ角度より大きくしたことが好適である。これにより各側板が相互に当たることを防ぎ、容易に折り曲げられる。
例えば本発明の実施形態では、図１、図２に示すように、空間２２は、仕切り体を折る際に、第１の板部１０と第２の板部１２及び側板部１４が相互に重なることで動きを妨げないように切り抜いている。このため、実施形態に係る仕切り板では空間２２は六角形であるが、楕円、長円等の六角形以外の形状も可能である。
【発明の効果】
【００１６】
本発明の仕切り体によれば、第１の板部及び第２の板部に設けた各側板部を第１の折り曲げ線から仕切り体の一面側方向に折り曲げた状態とし、前記各側板部を一面側方向に折り曲げた状態で、前記第１の板部を第２の板部に対して第２の折り曲げ線から他面側方向に折り曲げて空間を狭くすると共に、側板部の第２の折り曲げ線から外縁側の固定用部分を他面側方向に折り曲げて仕切り体の他の部分に固定し、側板部、第１の板部及び第２の板部の折り曲げ状態を固定するようにし、収納箱体内に装入するものであるので、第１の板部と第２の板部を折り曲げた状態を側板部の第２の折り曲げ線から外縁側の固定用部分の固定によって簡単に保持でき、しかも固定用部分を側板部の一部と簡単な構成にすることができる。
【００１７】
したがって、本発明によって、簡単な構成で加工手順も少なく、収納する物品の高さにも対応できる仕切り体を提供できる。
【００１８】
また、仕切り体の第１の板部に対する第２の板部の折り曲げ角度を固定用部分で維持でき、ボトル類の容器を収納箱体に収納した際に、第１の板部及び第２の板部で容器の側部と上部を支えること等の使用手法によって容器が側方へのガタ付防止と共に、上下へのガタ付防止も図れて、極めて使い勝手がよい。
【図面の簡単な説明】
【００１９】
【図１】本発明の実施形態に係る仕切り体の組み立て図である。
【図２】図１の仕切り体の展開図である。
【図３】図１の仕切り体の組み立て加工手順の説明図である。
【図４】図１の仕切り体の使用状態の説明図である。
【図５】本発明の他の実施形態に係る仕切り体の組み立て図である。
【図６】図５の仕切り体の展開図である。
【図７】本発明の一例を説明する図である。
【発明を実施するための形態】
【００２０】
以下、本発明の実施形態について添付図面を参照して説明する。
【００２１】
図１、図２は、本発明の実施形態に係る仕切り体の説明図であり、図１が組み立て状態、図２が展開した状態である。
【００２２】
図１、図２に示すように、仕切り体は、複数個所の板部（第１の板部１０、第２の板部１２、側板部１４、１４）が折り曲げ線（第１の折り曲げ線１６、第２の折り曲げ線１８）で連続した板材であり、折り曲げ線から折り曲げた状態で収納箱体２０（図４参照）内に装入することによって、収納箱体２０内の物品収納空間内を仕切り、物品３０（図４参照）をガタつかないように支持するものである。
【００２３】
仕切り体は、図２に示すように、展開状態では、平面視で概略矩形の板材を打ち抜き成形したものである。仕切り体は紙材や樹脂シート材を単層又は積層に形成した折り曲げできる板材を用いることができる。
【００２４】
仕切り体は、その長さ方向（図２で縦方向）に沿い、空間２２を挟んで第１の板部１０及び第２の板部１２を有するものであり、第１の板部１０及び第２の板部１２の各幅方向両側に第１の折り曲げ線１６（図２で破線で示す）を境に側板部１４、１４を設け、第１の板部１０及び第２の板部１２の各幅方向両側の側板部１４、１４同士が前記空間２２を囲んで連続した構造である。
【００２５】
幅方向両側の各側板部１４、１４には、空間２２側から外縁側に向けて複数の（実施形態では、２対４本の)第２の折り曲げ線１８（図２に細線で示す）が延びて形成されているものである。
【００２６】
前記第１の板部１０及び第２の板部１２に設けた各側板部１４を第１の折り曲げ線１６から仕切り体の一面側方向に折り曲げた状態としている。
【００２７】
そして、前記各側板部１４を一面側方向に折り曲げた状態で、前記第１の板部１０を第２の板部１２に対して第２の折り曲げ線１８から他面側方向に折り曲げて空間２２を狭くすると共に、側板部１４の第２の折り曲げ線１８から外縁側の固定用部分２４を他面側方向に折り曲げて仕切り体の他の部分に固定し、側板部１４、第１の板部１０及び第２の板部１２の折り曲げ状態を固定するようにし、収納箱体２０内に装入して仕切り体を使用するものである。
【００２８】
ここで、固定用部分２４を固定するために、前記第１の板部１０及び第２の板部１２には、前記空間２２から長さ方向に伸びる切り欠き２６が形成されたものとしている。
【００２９】
前記側板部１４の第２の折り曲げ線１８から外縁側の固定用部分２４を他面側方向かつ幅方向内側に折り曲げて前記切り欠き２６に係止することによって仕切り体の他の部分に固定して、仕切り体の折り曲げ状態を固定するようにしたものである。
【００３０】
また、前記幅方向両側の各側板部１４には、外縁側に向けて空間２２が延びた凹所２８が形成されて対の第２の折り曲げ線１８が当該凹所２８の外縁側端から延びている。
【００３１】
この対の第２の折り曲げ線１８同士の角度の設定によって、前記第１の板部１０を第２の板部１２に対して第２の折り曲げ線１８から他面側方向に折り曲げた際の、第１の板部１０に対する第２の板部１２の折り曲げ角度を設定できるようにしたものである。
【００３２】
また、各側板部１４に設けた凹所２８は外縁方向に向けて山形形状を呈し、凹所２８の山型形状の先端角度（符号「Ａ」で示す）は、第１の板部１０に対する第２の板部１２の折り曲げ角度をより大きく設定できるものになっている。
【００３３】
実施形態では、仕切り体において、凹所２８の挟み角度Ｂを略１３５°の鈍角に適切に設定して、第１の板部１０に対して第２の板部１２の折り角度が９０°となるように角度を形成している。
なお、具体的な仕切り体では、シートそのものの厚みや側板が完全には直角に立たないこと等を補正するため、１３５°と差の有る１３２．５°と一例として形成することができる。
【００３４】
図３は、実施形態の仕切り体の折り曲げ手順の説明図である。図３中では、仕切り体を扱う手指を符号「Ｃ」で示している。
【００３５】
まず、図３（ａ）に示すように、第１の板部１０及び第２の板部１２に設けた各側板部１４を第１の折り曲げ線１６から仕切り体の一面側方向に折り曲げた状態とする。
【００３６】
次いで、図３（ｂ）に示すように、前記各側板部１４を一面側方向に折り曲げた状態で、側板部１４の第２の折り曲げ線１８から外縁側の固定用部分２４を親指等で他面側方向にかつ幅方向内側に向けて押して折り曲げる。
【００３７】
さらに、図３（ｃ）に示すように、前記第１の板部１０を第２の板部１２に対して第２の折り曲げ線１８から他面側方向に折り曲げて空間２２を閉じる（狭くする方向）と共に、前記固定用部分２４を他面側方向に折り曲げたものを、前記空間から長さ方向に伸びる切り欠き２６（図示省略）が形成に先端を差し込んで係止することにより、仕切り体の他の部分（この場合、第１の板部１０、第２の板部、側板部１４）に固定する。これによって、側板部１４、第１の板部１０及び第２の板部１２の折り曲げ状態を固定するようにして組み立てる（図１に示す状態）。
【００３８】
また、第１の板部１０と第２の板部１２を折り曲げた状態を側板部１４の第２の折り曲げ線１８から外縁側の固定用部分２４の固定によって簡単に保持でき、しかも固定用部分２４を側板部１４の一部とする等、簡単な構成にすることができる。
【００３９】
したがって、簡単な構成で加工手順も少なく、収納する物品３０の高さにも対応できる仕切り体を提供できる。
【００４０】
組み立てた仕切り体は、図４に示すように、収納箱体２０内に物品３０と共に（図の矢印方向に）装入して使用する。仕切り体の第１の板部１０に対する第２の板部１２の折り曲げ角度を固定用部分２４で維持できるので、折り曲げ角度が変化しないものになる。
【００４１】
そして、物品３０がボトルのように収納箱体２０に対して高さの低いものの場合に、第１の板部１０が第２の板部１２に対してほぼ直角に曲がっており、第１の板部１０が物品３０の側面に当てて、第２の板部１２を物品３０の上端に当てて、収納箱体２０内に物品３０をガタ付なく支持固定できるものである。
【００４２】
したがって、ボトル類の物品３０を収納箱体２０に収納した際に、第１の板部１０及び第２の板部１２で物品３０の側部と上部を支えること等の使用手法によって物品３０に対して側方へのガタ付防止と共に、上下へのガタ付防止も図れて、極めて使い勝手がよい。
【００４３】
なお、本発明は上記の実施形態に限定されるものではなく、種々に変形実施できる。
【００４４】
例えば、図５、図６に示す、他の実施形態に係る仕切り体のように、凹所２８の山型形状の先端角度Ａと１対の第２の折り曲げ線１８同士の挟み角度Ｂとの設定を変更することによって、第１の板部１０に対する第２の板部１２の折り曲げ角度を９０°以上の鈍角に設定できるものになっている。物品の頂部の形状や角度に応じて指示することができ、使い勝手を多様にすることができる。
【産業上の利用可能性】
【００４５】
本発明の仕切り体は、製品収容用のボトルや各種の製品を収納箱体に収納する際の仕切り体として利用することができる。
【符号の説明】
【００４６】
１０  第１の板部
１２  第２の板部
１４  側板部
１６  第１の折り曲げ線
１８  第２の折り曲げ線
２０  収納箱体
２２  空間
２４  固定用部分
２６  切り欠き
２８  凹所
３０  物品
Ａ  先端角度
Ｂ  挟み角度
【図１】
0006301801.tif 000002
【図２】
0006301801.tif 000003
【図３】
0006301801.tif 000004
【図４】
0006301801.tif 000005
【図５】
0006301801.tif 000006
【図６】
0006301801.tif 000007
【図７】
0006301801.tif 000008